(57)【要約】      （修正有）【課題】簡素な構成で製造コストを低減した使い勝手に優れたカメラケーブル収納ドラムを提供する。【解決手段】カメラヘッド３５がカメラケーブル３１の先端に接続され、モニター本体がカメラケーブルの後端に接続されるカメラ装置を対象とし、不使用時にはモニター本体側から収納し、使用時にはカメラヘッド側から引き出すカメラケーブル収納ドラムＤにおいて、上方に開口部１２ａを備えた環状ドラム本体１０をベース１上に取り付け、開口部の内周縁の所定箇所に内方に臨む突起部１３を設けた。カメラケーブルが復元力の強いものであったとしても、この突起部に係止しつつ引き出したり収納することによりカメラケーブルが不用意に飛び出すことがなく使い勝手に優れる。【選択図】図１
0003187578.tif 000002
【実用新案登録請求の範囲】
【請求項１】
カメラヘッドがカメラケーブルの一端に接続されモニター本体がカメラケーブルの他端に接続されるカメラ装置を対象とし、そのカメラ装置の不使用時にモニター本体側から収納し、使用時にカメラヘッド側から引き出すことができるように設けられたカメラケーブル収納ドラムにおいて、
上方に開口部を備えた環状ドラム本体をベース上に取り付け、その開口部の内周縁の所定箇所に内方に臨む突起部を設けたことを特徴とするカメラケーブル収納ドラム。
【請求項２】
前記ベースの一部が、前記環状ドラム本体を固定する座部に対して水平方向へ伸張可能に設けられていることを特徴とする請求項１に記載のカメラケーブル収納ドラム。
【請求項３】
前記モニター本体を固定するホルダーが、前記環状ドラム本体の開口部に臨むように設けられていることを特徴とする請求項１又は２に記載のカメラケーブル収納ドラム。
【考案の詳細な説明】
【技術分野】
【０００１】
本考案は、カメラ装置の小型カメラヘッドが先端に取り付けられたカメラケーブルを収納する収納ドラムに関するものである。
【背景技術】
【０００２】
排水管などの内部状態を検査するために使用されるカメラ装置は、小型カメラヘッドがカメラケーブルの先端に接続されモニター本体が後端に接続されている。
【０００３】
カメラ装置の一例として、特許文献１には、便器の流路に異物が流されて生ずる詰まり状態や便器に接続された排水管の内部を検査するために、コイルバネ製カメラケーブルの先端に小型カメラヘッドを取り付け、そのケーブルの後端にモニター本体を取り付けてなるトイレ用内視鏡装置が開示されている。
【０００４】
また、カメラ装置のカメラケーブルの収納については、上方に開口部を備えた環状ドラムをベースに回転自由に設けると共にカメラケーブルを通すパイプを該ドラムの上方に配置して該ベースに固定し、モニター本体を接続するカメラケーブルの後端を該パイプに通してから該ドラムに取り付け、ついで、ドラムを回転させることによりカメラケーブルが順に巻き取られる構造とした収納ドラムが知られている。
【０００５】
ところが、上記カメラケーブル収納ドラムは、構造が複雑で製造コストが高くつくという不都合を有していた。
【先行技術文献】
【特許文献】
【０００６】
【特許文献１】特開２０１２−１６３６４３号公報
【考案の概要】
【考案が解決しようとする課題】
【０００７】
この考案の目的は、簡素な構成で製造コストを低減した使い勝手に優れたカメラケーブル収納ドラムを提供することにある。
【課題を解決するための手段】
【０００８】
前記目的を達成するために請求項１に記載の考案は、カメラヘッドがカメラケーブルの一端に接続されモニター本体がカメラケーブルの他端に接続されるカメラ装置を対象とし、そのカメラ装置の不使用時にモニター本体側から収納し、同装置の使用時にカメラヘッド側から引き出すことができるように設けられたカメラケーブル収納ドラムにおいて、
上方に開口部を備えた環状ドラム本体をベース上に取り付け、その開口部の内周縁の所定箇所に内方に臨む突起部を設けたことを特徴とするものである。
【０００９】
同様の目的を達成するために請求項２に記載の考案は、請求項１に記載のカメラケーブル収納ドラムにおいて、前記ベースの一部が、前記環状ドラム本体を固定する座部に対して水平方向へ伸張可能に設けられていることを特徴とするものである。
【００１０】
カメラ装置の使用時には、ベースの一部を座部から水平方向へ引き出し或いは折り畳まれた状態から水平方向へ伸張させ、その伸張された適宜箇所を作業者の足で踏んで押えることによりベースを安定させる。また、カメラ装置の不使用時には、伸張させたベースの一部を座部側に押し込み或いは折り畳むことによりコンパクトにすることができて利便性が良い。
【００１１】
同様の目的を達成するために請求項３に記載の考案は、請求項１又は２に記載のカメラケーブル収納ドラムにおいて、前記モニター本体を固定するホルダーが、前記環状ドラム本体の開口部に臨むように設けられていることを特徴とするものである。
【００１２】
モニター本体をホルダーに固定することができるので、検査時の仮置きや持ち運ぶ際に便利である。
【考案の効果】
【００１３】
このカメラケーブル収納ドラムによれば、カメラケーブルをドラム本体から引き出す際に、カメラケーブルが曲げても復元力の強いものであったとしても、ドラム本体の開口部に設けられた突起部に係止しつつ引き出すことによりカメラケーブルの飛び出しを防止することができる。他方、カメラケーブルをドラム本体に収納する際にも、ドラム本体の突起部に係止しつつ収めることによりカメラケーブルが不用意に飛び出すことなく円滑に収納することができて使い勝手に優れる。
【００１４】
加えて、ドラム本体を回転させずにベースに固定する簡素な構成としているので、製造コストの低減を図ることができる。
【図面の簡単な説明】
【００１５】
【図１】本考案に係るカメラケーブル収納ドラムの斜視図
【図２】同、平面図
【図３】ベースの一部を伸張した状態のカメラケーブル収納ドラムの斜視図
【図４】カメラケーブルを収納ドラムから引き出す状態を示す説明図（１）
【図５】カメラケーブルを収納ドラムから引き出す状態を示す説明図（２）
【考案を実施するための形態】
【００１６】
以下に、本考案の最良の形態例を図面に基づいて説明する。
【００１７】
本考案に係るカメラケーブル収納ドラムＤは、カメラヘッド３５がカメラケーブル３１の先端（一端）３１ａに接続され、モニター本体４０がカメラケーブル３１の後端（他端）に接続されるカメラ装置を対象とするものである。図１、図２には、カメラヘッド３５が接続されたカメラケーブル３１がカメラケーブル収納ドラムＤに収納された状態を表している。
【００１８】
図１に示すように、カメラケーブル収納ドラムＤは、上方に開口部１２ａを備えた環状ドラム本体１０をベース１の上に取り付けている。ベース１は、伏せコ字形断面の所定長さのスライド脚（ベースの一部）２の中央に長手方向に沿うように長穴３を設け、スライド脚２に被せた座部５を長穴３の下から通したボルト（図示せず）を螺着し、スライド脚２を座部５に対して水平方向へ伸張可能に設けている（図３）。４はスライド脚２に設けられた指掛け穴である。
【００１９】
座部５の中央には、モニター本体４０を固定するホルダー６を立設し、このホルダー６を中心として環状ドラム本体１０が固定されている。７は適宜高さを有するホルダー６の上部に設けられた横向きのフックである。このフック７は、モニター本体４０の背部を差し込むことにより当該モニター本体４０を固定するのに用いられる。
【００２０】
因みに、モニター本体４０については、特許文献１に開示されたものに準ずるが、カメラヘッド３５で撮影される静止画・動画を表示する液晶表示部と、各種操作ボタン、バッテリー等を備えた公知構造のものである。
【００２１】
また、カメラケーブル３１は、カメラヘッド３５とモニター本体４０とを接続する図示しないリード線を内装するものであり、曲げても直線状に戻る復元力の強い、言い換えれば腰の強いコイルバネを用いている。
【００２２】
なお、この実施例においては、スライド脚２を座部５に対して水平方向へスライドさせることにより伸張可能に設けているが、本考案においてはこれに限定されることなく、座部５に図示しない脚を兆番で連結し、折り畳まれた状態の脚を開いて水平方向へ伸張させる構造とすることもできる。
【００２３】
環状ドラム本体１０は、複数本の線材１１が前記ホルダー６を中心として放射方向に所定長さを延びてから上方へ折り返えされ、それらの先端部１１ａに所定の直径寸法に形成されたリング１２が溶接で固定されている。リング１２の開口部１２ａの内周縁には、内方に臨む突起部１３を所定箇所に、この実施例では２箇所に設けている。この開口部１２ａの中央には、モニター本体４０を固定するホルダー６が臨むように設けられている。
【００２４】
以上により、カメラ装置の不使用時にモニター本体４０側から収納し、同装置の使用時にカメラヘッド３５側から引き出すことができる本考案に係るカメラケーブル収納ドラムＤが構成される。
【００２５】
つぎに、本考案に係るカメラケーブル収納ドラムＤの使用方法について述べる。
（収納）
（１）まず、ベース１のスライド脚２を座部５から水平方向へ引き出して適宜箇所を作業者の足で踏んで押える。
（２）モニター本体４０側からドラム本体１０内に収め始める。又は、カメラケーブル３１からモニター本体４０を取り外し、その取り外した（後端）側からドラム本体１０内に収め始める。収納する際に、カメラケーブル３１は腰が強いため開口部１２ａから飛び出そうとするが、カメラケーブル３１を突起部１３に係止させつつ行なう（図４）。この突起部１３は、ストッパー機能を果たす。
（３）最後に、カメラヘッド３５を収める（図３）。
（４）カメラケーブル３１を全て収納してから、スライド脚２を座部５側へ押し込む。
【００２６】
（取り出し）
（１）最初に、ベース１のスライド脚２を座部５から水平方向へ引き出して適宜箇所を作業者の足で踏んで押える。
（２）カメラヘッド３５又はカメラケーブル３１の先端３１ａを掴んでドラム本体１０の開口部１２ａから取り出し始める（図５）。
（３）カメラケーブル３１は開口部１２ａから飛び出そうとするが、収納時と同様に、カメラケーブル３１を突起部１３に係止させつつ行なう（図４）。
（４）カメラケーブル３１を取り出せば、カメラ装置は使用状態となる。又は、カメラケーブル３１を全て取り出してから同カメラケーブル３１の後端にモニター本体４０を接続することにより、カメラ装置は使用状態とされる。
【００２７】
以上の通り、このカメラケーブル収納ドラムは、カメラケーブルをドラム本体から引き出す際に、カメラケーブルが曲げても復元力の強いものであったとしても、ドラム本体の突起部に係止しつつ引き出すことによりカメラケーブルの飛び出しを防止することができる。他方、カメラケーブルをドラム本体に収納する際にも、ドラム本体の突起部に係止しつつ収めることによりカメラケーブルが不用意に飛び出すことなく円滑に収納することができる。
【符号の説明】
【００２８】
Ｄ・・・本考案に係るカメラケーブル収納ドラム
１・・・ベース
２・・・スライド脚（ベースの一部）
５・・・座部
６・・・ホルダー
１０・・・環状ドラム本体
１２ａ・・・開口部
１３・・・突起部
３１・・・カメラケーブル
３１ａ・・・先端（一端）
３５・・・カメラヘッド
４０・・・モニター本体
【図１】
0003187578.tif 000003
【図２】
0003187578.tif 000004
【図３】
0003187578.tif 000005
【図４】
0003187578.tif 000006
【図５】
0003187578.tif 000007